(57)【要約】【課題】異常画像が発生するのを抑えつつ、像担持体に対してベルト部材を接離させることができる転写装置及び画像形成装置を提供する。【解決手段】トナー像を担持する像担持体２０に対向し回転可能に設けられた無端状のベルト部材１１と、ベルト部材を介して像担持体と当接し、像担持体とベルト部材とにより形成されたニップ部で像担持体上のトナー像を、ベルト部材の表面またはベルト部材の表面に担持された記録材上に転写する転写部材１３と、転写部材とベルト部材回転方向で隣り合う位置に設けられ、ベルト部材を支持する支持部材１８と、像担持体に対してベルト部材を接離させる接離手段１００とを備えた転写装置６０において、接離手段は、転写部材を保持する第一保持部材１３１と、支持部材を保持する第二保持部材１８１と、ベルト幅方向に軸線を有し、第一保持部材と第二保持部材とを揺動可能に軸支する共通の揺動軸１９とを有する。【選択図】図１
2015172659.tif 000002
【特許請求の範囲】
【請求項１】
トナー像を担持する像担持体に対向し回転可能に設けられた無端状のベルト部材と、
前記ベルト部材を介して前記像担持体と当接し、該像担持体と該ベルト部材とにより形成されたニップ部で像担持体上のトナー像を、前記ベルト部材の表面または該ベルト部材の表面に担持された記録材上に転写する転写部材と、
前記転写部材とベルト部材回転方向で隣り合う位置に設けられ、前記ベルト部材を支持する支持部材と、
前記像担持体に対して前記ベルト部材を接離させる接離手段とを備えた転写装置において、
前記接離手段は、前記転写部材を保持する第一保持部材と、前記支持部材を保持する第二保持部材とを有しており、前記第一保持部材と前記第二保持部材とが、ベルト部材裏面からおもて面へ突き出す方向と、該突き出す方向とは逆方向とに揺動可能なように共通の揺動軸に軸支されていることを特徴とする転写装置。
【請求項２】
請求項１に記載の転写装置において、
前記転写部材とベルト部材回転方向上流側で隣り合う位置に、前記支持部材を設けたことを特徴とする転写装置。
【請求項３】
請求項１または２に記載の転写装置において、
ベルト部材回転方向で前記転写部材と前記支持部材との間に、前記揺動軸を位置させて設けたことを特徴とする転写装置。
【請求項４】
請求項１、２または３に記載の転写装置において、
前記接離手段によって前記ベルト部材を前記像担持体に接触させるときに、前記支持部材が予め設定された位置よりも像担持体側に位置しないように前記第二保持部材の移動を規制する規制手段を有することを特徴とする転写装置。
【請求項５】
トナー像を担持する感光体と、
走行可能に設けられたベルト部材と、
前記ベルト部材の裏面に当接し、前記感光体上のトナー像を前記ベルト部材上へ転写する転写ローラと、
ベルト部材走行方向において前記転写ローラと隣り合う位置で前記ベルト部材の裏面に当接し、前記ベルト部材を支持する従動ローラと、
前記転写ローラを保持する転写ローラブラケットと、
前記従動ローラを保持する従動ローラブラケットと、
前記転写ローラの軸と平行に設けられ、前記転写ローラブラケット及び前記従動ローラブラケットを共に軸支する揺動軸と、
前記揺動軸を中心に前記転写ローラブラケット及び前記従動ローラブラケットを揺動させるスライダと、を備えることを特徴とする転写装置。
【請求項６】
請求項５に記載の転写装置において、
前記揺動軸は、ベルト部材走行方向において前記転写ローラと前記従動ローラとの間に設けられていることを特徴とする転写装置。
【請求項７】
像担持体上の画像を、転写手段を用いて最終的に記録材上へ転写することにより該記録材に画像を形成する画像形成装置において、
前記転写手段として、請求項１、２、３、４、５または６に記載の転写装置を用いることを特徴とする画像形成装置。
【発明の詳細な説明】
【技術分野】
【０００１】
本発明は、プリンタ、ファクシミリ、複写機などの画像形成装置に用いられる転写装置、及び、その転写装置を備えた画像形成装置に関するものである。
【背景技術】
【０００２】
従来、感光体上に形成されたトナー像を無端状の中間転写ベルトに一次転写し、中間転写ベルト上に順次保持された複数色のフルカラートナー像を、記録紙上に一括して二次転写する、所謂中間転写方式の転写装置を備えた画像形成装置が実用化されている。この中でも、複数の感光体を並べたタンデム方式は、より短い時間でフルカラー像を記録紙に転写することができるため、特に広く用いられている。
【０００３】
特許文献１に記載の画像形成装置では、中間転写ベルトが複数の張架ローラによって回転可能に張架されており、複数の感光体が中間転写ベルトのおもて面に対向して並設されている。中間転写ベルトを挟んだ感光体との対向位置には、中間転写ベルトを介して感光体に当接し感光体と中間転写ベルトとにより形成された一次転写ニップで、感光体上から中間転写ベルト上にトナー像を転写する転写部材である一次転写ローラが設けられている。
【０００４】
また、この一次転写ローラと中間転写ベルト回転方向上流側で隣り合う位置には、中間転写ベルトを支持し中間転写ベルトの回転に従動して回転する従動ローラが設けられている。
【０００５】
一次転写ローラと従動ローラとは、感光体に対して中間転写ベルトを接離させる接離機構に設けられた、単一のブラケットに保持されている。このブラケットは、中間転写ベルト回転方向と直交する方向であるベルト幅方向に軸線を有する揺動軸を中心に、装置本体に対して揺動可能に設けられている。
【０００６】
接離機構は、揺動軸を中心にブラケットを感光体から遠ざける方向や近づける方向に揺動させることで、感光体に対して一次転写ローラ及び従動ローラを変位させ、中間転写ベルトの軌道を変化させることにより感光体に対して中間転写ベルトを接離させる。
【発明の概要】
【発明が解決しようとする課題】
【０００７】
しかしながら、接離機構に設けられた単一のブラケットに一次転写ローラと従動ローラとが保持されていると、中間転写ベルトから従動ローラに伝わった振動が、ブラケットを介して一次転写ローラに伝わってしまう。そのため、一次転写ローラが振動することで一次転写ニップのニップ圧などが変動してしまい、画像ムラなどの異常画像が発生してしまうといった問題が生じる。
【０００８】
また、転写搬送ベルトの表面に担持された記録紙上に、感光体上からトナー像を転写する直接転写方式の転写装置を備えた画像形成装置においても、上述したのと同様の問題が生じ得る。
【０００９】
本発明は以上の問題点に鑑みなされたものであり、その目的は、転写部材が振動することに起因した異常画像の発生を抑制できる転写装置、及び、その転写装置を備えた画像形成装置を提供することである。
【課題を解決するための手段】
【００１０】
上記目的を達成するために、請求項１の発明は、トナー像を担持する像担持体に対向し回転可能に設けられた無端状のベルト部材と、前記ベルト部材を介して前記像担持体と当接し、該像担持体と該ベルト部材とにより形成されたニップ部で像担持体上のトナー像を、前記ベルト部材の表面または該ベルト部材の表面に担持された記録材上に転写する転写部材と、前記転写部材とベルト部材回転方向で隣り合う位置に設けられ、前記ベルト部材を支持する支持部材と、前記像担持体に対して前記ベルト部材を接離させる接離手段とを備えた転写装置において、前記接離手段は、前記転写部材を保持する第一保持部材と、前記支持部材を保持する第二保持部材とを有しており、前記第一保持部材と前記第二保持部材とが、ベルト部材裏面からおもて面へ突き出す方向と、該突き出す方向とは逆方向とに揺動可能なように共通の揺動軸に軸支されていることを特徴とするものである。
【発明の効果】
【００１１】
以上、本発明によれば、転写部材が振動することに起因した異常画像の発生を抑制することができるという優れた効果がある。
【図面の簡単な説明】
【００１２】
【図１】当接時における一次転写ローラ及び従動ローラの接離機構を、斜め上方から見た斜視図。
【図２】実施形態に係る画像形成装置の全体構成の一例を示す概略図。
【図３】当接時における一次転写ローラ及び従動ローラの接離機構を、装置前側から見た側面図。
【図４】当接時における一次転写ローラ及び従動ローラの接離機構を、装置後側から見た側面図。
【図５】当接時における一次転写ローラ及び従動ローラの接離機構を、斜め下方から見た斜視図。
【図６】離間時における一次転写ローラ及び従動ローラの接離機構を、斜め上方から見た斜視図。
【図７】離間時における一次転写ローラ及び従動ローラの接離機構を、装置前側から見た側面図。
【図８】離間時における一次転写ローラ及び従動ローラの接離機構を、装置後側から見た側面図。
【図９】離間時における一次転写ローラ及び従動ローラの接離機構を、斜め下方から見た斜視図。
【図１０】離間時における中間転写ベルト、一次転写ローラ、従動ローラ及び感光体の位置関係を示した図。
【図１１】当接時における中間転写ベルト、一次転写ローラ、従動ローラ及び感光体の位置関係を示した図。
【図１２】入り口ニップ角度及び出口ニップ角度の説明に用いる図。
【発明を実施するための形態】
【００１３】
以下に、本発明の一実施形態について、図面を参照して説明する。
図２は、本実施形態に係る画像形成装置の全体構成の一例を示す概略図である。図２に示す画像形成装置１は、プロセスカートリッジとしても用いることが可能な画像形成部としての画像形成ユニット１０を並列し、転写体としての中間転写体である中間転写ベルト１１に一旦画像を重ね合わせて、それを記録紙Ｐに一括転写する方式である。
【００１４】
画像形成装置１は、図２に示すように、トナー画像を形成する画像形成部３や、記録紙Ｐを収容して供給する給紙部２などを備えている。
【００１５】
画像形成部３は、イエロー（Ｙ）、シアン（Ｃ）、マゼンタ（Ｍ）、ブラック（Ｋ）の複数の有色トナーであるプロセスカラートナーに対応した画像形成ユニット１０Ｙ，１０Ｃ，１０Ｍ，１０Ｋを備えている。また、無色透明なトナーである透明トナー（Ｓ）に対応した画像形成ユニット１０Ｓを備えている。そして、これら画像形成ユニット１０Ｓ，１０Ｙ，１０Ｃ，１０Ｍ，１０Ｋが、略水平方向に並列に並べられたタンデム型の構成を有する。
【００１６】
透明トナーＳは、Ｙ、Ｃ、Ｍ、Ｋの各有色トナーの画像表面を覆うことにより、透明トナーＳによるオーバーコート層が有色トナーの画像表面を保護する働きをする。表面が平滑な記録紙Ｐに透明トナーＳでパターンを作成することで、ファンシーペーパーのような質感を与える働きもする。
【００１７】
なお、透明トナーＳの作像順は、他の作像順も考えられ、特に、ここに記載した例に限定するものではない。また、透明トナーＳの代わりに白トナーを用いる構成でも構わない。
【００１８】
透明トナーＳの代わりに白トナーを用いる構成では、透明なシート状の記録媒体である透明記録媒体の画像形成面に、Ｙ，Ｃ，Ｍ，Ｋの各色トナーの少なくとも１色のトナーを用いてカラートナー画像を形成する。そして、そのカラートナー画像の上に、白トナーを用いて白トナー画像を形成する。これにより、透明記録媒体のカラートナー画像が形成された画像形成面とは反対側の面からカラートナー画像を見たときに、カラートナー画像が透けて見えることがなく、且つ、透明記録媒体の光沢感により均一光沢のある付加価値の高い印刷物を作成できる。
【００１９】
画像形成ユニット１０Ｓ，１０Ｙ，１０Ｃ，１０Ｍ，１０Ｋの上方には、各感光体２０Ｓ，２０Ｙ，２０Ｃ，２０Ｍ，２０Ｋの表面に各色の画像データに基づいて露光をし、静電潜像を形成する潜像形成手段としての露光装置４が備わっている。
【００２０】
また、画像形成ユニット１０Ｓ，１０Ｙ，１０Ｃ，１０Ｍ，１０Ｋの下方には、駆動ローラ１２、テンションローラ１４、従動ローラ１８等に掛け渡された状態で回転駆動する無端ベルト状の中間転写ベルト１１を備えた中間転写装置６０が配置されている。
【００２１】
なお、いずれの画像形成ユニット１０Ｓ，１０Ｙ，１０Ｃ，１０Ｍ，１０Ｋも同様の構成であるので、以下、適宜、色分け符号Ｓ、Ｙ、Ｃ、Ｍ、Ｋの表示を省略する。
【００２２】
画像形成ユニット１０は、像担持体である感光体２０と、感光体２０の表面を帯電する帯電手段である帯電ローラ３０とを備える。また、画像形成ユニット１０は、帯電ローラ３０によって帯電された感光体表面上に潜像形成手段である露光装置４からレーザー光Ｌが照射されることで感光体２０上に形成された静電潜像に、トナーを供給して現像する現像手段である現像装置５０を備える。
【００２３】
さらに、画像形成ユニット１０は、感光体２０上から中間転写ベルト１１にトナー像が転写された後の感光体表面を、クリーニングブレード４１によってクリーニングする感光体クリーニング装置４０を有する。
【００２４】
帯電ローラ３０は、図示しない電源に接続されており、直流に交流成分のバイアスが重畳印加された所定の帯電バイアスが印加される。帯電ローラ３０は、感光体２０に対して微小な間隙をもって配設される。また、帯電ローラ３０は、感光体２０に近接させずに、接触させても良い。
【００２５】
現像装置５０は、磁性キャリアとトナーとを有する二成分現像剤（以下、単に「現像剤」という。）を用いている。そして、静電潜像を有する感光体２０を現像するために、対向する位置に設けられている。
【００２６】
現像装置５０は、現像剤担持体としての現像ローラ５１が配置されている。現像ローラ５１によって搬送される現像剤は、図示しない現像剤規制部材によって所定の現像剤層の厚みに規制された後、感光体２０との対向位置へ搬送される。そして、現像ローラ５１上に担持された現像剤中のトナーを、感光体２０上に形成された静電潜像に付着させて現像する。
【００２７】
また、画像形成装置１には、現像装置５０にトナーを補給するための不図示のトナーボトルが設けられており、トナーボトルから不図示の搬送経路を通って、所定の補給量だけ各現像装置５０にトナーが補給される。
【００２８】
中間転写装置６０は、駆動ローラ１２とテンションローラ１４と従動ローラ１８とに掛け渡された状態で回転駆動する無端ベルト状の中間転写ベルト１１を備えている。さらに、各感光体２０上のトナー像を中間転写ベルト１１へ一次転写させる一次転写ローラ１３なども備えている。
【００２９】
一次転写ローラ１３は、中間転写ベルト１１を挟んで各感光体２０と対向する位置にそれぞれ配置されている。各一次転写ローラ１３は、図示しない電源に接続されており、所定の一次転写バイアスが印加される。
【００３０】
中間転写ベルト１１を挟んで画像形成部３とは反対の側に、二次転写装置２２を備える。二次転写装置２２は、二次転写ローラ１６と張架ローラ２３，２４とによって、二次転写ベルト１５を回転可能に掛け渡して構成されている。
【００３１】
二次転写装置２２は、二次転写ローラ１６が支持する位置で、二次転写ベルト１５が中間転写ベルト１１を介して二次転写対向ローラ１７に押し当てられている。そして、二次転写ベルト１５と中間転写ベルト１１との間で二次転写部としての二次転写ニップを形成するように配置されている。また、二次転写ローラ１６、一次転写ローラ１３と同様に、図示しない電源に接続されており、所定の二次転写バイアスが印加される。
【００３２】
また、二次転写後の中間転写ベルト１１の表面をクリーニングする中間転写ベルトクリーニング装置７０が設けられている。さらに、この画像形成装置１には、中間転写ベルト１１に潤滑剤を塗布する潤滑剤塗布装置（不図示）が設けられている。
【００３３】
また、本実施形態においては、各画像形成ユニット１０の感光体２０と中間転写ベルト１１とを接離させる図示しない接離機構が設けられている。本実施形態の接離機構は、中間転写ベルト１１を内周面側から支持している一次転写ローラ１３を、対応する感光体２０に対して接離させる方向に移動させるものである。
【００３４】
画像形成装置１の下部には、記録紙Ｐを複数枚重ねた記録紙束の状態で収容する給紙トレイ８１や、給紙ローラ８２などを備えた給紙部２が設けられている。給紙ローラ８２は、給紙トレイに８１に収容されている記録紙束の一番上の記録紙Ｐに当接している。そして、図示しない駆動手段によって回転駆動せしめられることで、その一番上の記録紙Ｐを搬送路８０に向けて送り出す。
【００３５】
搬送路８０に送り出された記録紙Ｐは、搬送路に設けられた搬送ローラ対８５，８６によって搬送路８０内を搬送され、レジストローラ対８３のローラ間に先端が挟まれる。レジストローラ対８３のローラ間に記録紙Ｐの先端が挟まれると、適切なタイミングで両ローラが回転して記録紙Ｐを後述の二次転写ニップに向けて送り出す。
【００３６】
二次転写ニップよりも記録紙搬送方向下流側には、記録紙Ｐ上のトナー像を記録紙Ｐに定着させる定着装置９０が備えられている。定着装置９０は、図示しないが、主に、内部にハロゲンヒータを有する定着ローラと、これに対向し、圧接して配置される加圧ローラとから構成されている。
【００３７】
次に、本実施形態における画像形成装置１の画像形成動作について簡単に説明する。
画像形成モードに応じて接離機構を制御し、その画像形成モードに用いる画像形成ユニット１０の感光体２０と中間転写ベルト１１とは当接させ、その画像形成モードに用いない画像形成ユニット１０の感光体２０と中間転写ベルト１１とは離間させる。
【００３８】
中間転写ベルト１１に当接している感光体２０は、図示しない駆動手段によって図中反時計方向に回転駆動する。回転駆動する感光体２０の表面は、帯電ローラ３０によって所定の極性に一様に帯電される。帯電された感光体表面には露光装置４からの走査光が照射され、これによって感光体２０の表面に静電潜像が形成される。このように形成された静電潜像に現像装置５０から各色トナーが付与され、トナー像として可視化される。
【００３９】
また、感光体２０の回転駆動とともに中間転写ベルト１１も図中時計回りに回転駆動される。一次転写ローラ１３の作用により、トナー像が形成された感光体２０から中間転写ベルト１１上に各色トナー像が互いに重なり合うように一次転写される。
【００４０】
一方、記録紙Ｐは、給紙トレイ８１から給紙ローラ８２によって給送され、記録紙Ｐの先端がレジストローラ対８３まで到達すると図示しないセンサによって検知される。そして、この検知により中間転写ベルト１１上に形成されたトナー像とのタイミングをとって、レジストローラ対８３により記録紙Ｐを二次転写ベルト１５と中間転写ベルト１１との間に形成された二次転写ニップに向けて送り出す。
【００４１】
そして、二次転写ニップで二次転写ローラ１６に印加された二次転写バイアスの作用により、二次転写対向ローラ１７と二次転写ローラ１６との間に所定の電位差を生じさせ電界を形成し、中間転写ベルト１１上の各色トナー像を記録紙Ｐ上に一括して二次転写する。
【００４２】
二次転写ニップでトナー像が二次転写された記録紙Ｐは、定着装置９０へと送られ、定着装置９０を通過する際に熱と圧力によってトナー像が記録紙Ｐに定着される。トナー像が定着された記録紙Ｐは排紙ローラ対８４によって、装置外に設けられた不図示の排紙トレイに排出され、１枚の画像形成ジョブが終了する。
【００４３】
なお、トナー像を転写した後の感光体２０の表面に残留する転写残トナーは、感光体クリーニング装置４０によって感光体２０の表面から回収され、不図示の廃トナー回収容器へ搬送される。感光体クリーニング装置４０でクリーニングされた感光体２０の表面は、その後、帯電ローラ３０によって除電と同時に帯電され、次の作像ジョブに備える。
【００４４】
また、中間転写ベルト１１上の残留トナーは、中間転写ベルトクリーニング装置７０によってクリーニングされ、次の作像ジョブに備える。
【００４５】
本実施形態の画像形成装置１には、「フルカラー画像形成モード」、「モノクロ画像形成モード」、「特殊画像形成モード」、「フルカラー画像＋特殊画像形成モード」、「潤滑剤塗布モード」の５つの画像形成モードが存在する。
【００４６】
フルカラー画像形成モードは、Ｙ、Ｃ、Ｍ、Ｋ色のトナーを用いてフルカラーの画像形成動作を実行するものである。
【００４７】
フルカラー画像形成モードでは、図示しない接離機構により、一次転写ローラ１３Ｙ，１３Ｃ，１３Ｍ，１３Ｋを感光体２０Ｙ，２０Ｃ，２０Ｍ，２０Ｋ側に近づく位置に位置決めして、中間転写ベルト１１と感光体２０Ｙ，２０Ｃ，２０Ｍ，２０Ｋとを当接させる。
【００４８】
一方で、フルカラー画像形成モードに用いない画像形成ユニット１０Ｓについては、図示しない接離機構により、一次転写ローラ１３Ｓを感光体２０Ｓから遠ざかる位置に位置決めして、中間転写ベルト１１と感光体２０Ｓとを離間させる。
【００４９】
モノクロ画像形成モードは、Ｋ色のトナーを用いてフルカラーの画像形成動作を実行するものである。モノクロ画像形成モードでは、図示しない接離機構により、一次転写ローラ１３Ｋを感光体２０Ｋ側に近づく位置に位置決めして、中間転写ベルト１１と感光体２０Ｋとを当接させる。
【００５０】
一方で、モノクロ画像形成モードに用いない画像形成ユニット１０Ｓ，１０Ｙ，１０Ｃ，１０Ｍについては、図示しない接離機構により、一次転写ローラ１３Ｓ，１３Ｙ，１３Ｃ，１３Ｍを感光体２０Ｓ，２０Ｙ，２０Ｃ，２０Ｍから遠ざかる位置に位置決めする。これにより、中間転写ベルト１１と感光体２０Ｓ，２０Ｙ，２０Ｃ，２０Ｍとが離間する。
【００５１】
特殊画像形成モードは、透明トナーＳを用いて画像形成動作を実行するものである。特殊画像形成モードでは、図示しない接離機構により、一次転写ローラ１３Ｓを感光体２０Ｓ側に近づく位置に位置決めして、中間転写ベルト１１と感光体２０Ｓとを当接させる。
【００５２】
一方で、特殊画像形成モードに用いない画像形成ユニット１０Ｙ，１０Ｃ，１０Ｍ，１０Ｋについては、図示しない接離機構により、一次転写ローラ１３Ｙ，１３Ｃ，１３Ｍ，１３Ｋを感光体２０Ｙ，２０Ｃ，２０Ｍ，２０Ｋから遠ざかる位置に位置決めする。これにより、中間転写ベルト１１と感光体２０Ｙ，２０Ｃ，２０Ｍ，２０Ｋとが離間する。
【００５３】
フルカラー画像＋特殊画像形成モードは、全ての画像形成ユニット１０Ｓ，１０Ｙ，１０Ｃ，１０Ｍ，１０Ｋを用いて画像形成動作を実行するものである。フルカラー画像＋特殊画像形成モードでは、図示しない接離機構により、一次転写ローラ１３Ｓ，１３Ｙ，１３Ｃ，１３Ｍ，１３Ｋを、感光体２０Ｓ，２０Ｙ，２０Ｃ，２０Ｍ，２０Ｋ側に近づく位置に位置決めする。そして、中間転写ベルト１１と感光体２０Ｓ，２０Ｙ，２０Ｃ，２０Ｍ，２０Ｋとを当接させる。
【００５４】
潤滑剤塗布モードは、全ての画像形成ユニット１０Ｓ，１０Ｙ，１０Ｃ，１０Ｍ，１０Ｋを中間転写ベルト１１から離間させた状態で、中間転写ベルト１１を回転させて潤滑剤塗布装置により潤滑剤を中間転写ベルト表面に塗布する動作を実行するものである。
【００５５】
潤滑剤塗布モードでは、図示しない接離機構により、一次転写ローラ１３Ｓ，１３Ｙ，１３Ｃ，１３Ｍ，１３Ｋを感光体２０Ｓ，２０Ｙ，２０Ｃ，２０Ｍ，２０Ｋから遠ざかる位置に位置決めする。これにより、中間転写ベルト１１と感光体２０Ｓ，２０Ｙ，２０Ｃ，２０Ｍ，２０Ｋとが離間する。
【００５６】
図３は、当接時における一次転写ローラ１３Ｓ及び従動ローラ１８の接離機構１００を、装置前側から見た側面図である。図４は、当接時における一次転写ローラ１３Ｓ及び従動ローラ１８の接離機構１００を、装置後側から見た側面図である。図１は、当接時における一次転写ローラ１３Ｓ及び従動ローラ１８の接離機構１００を、斜め上方から見た斜視図である。図５は、当接時における一次転写ローラ１３Ｓ及び従動ローラ１８の接離機構１００を、斜め下方から見た斜視図である。
【００５７】
図１、図３、図４、及び図５では、中間転写ベルト１１や感光体２０Ｓなどの図示を省略しているが、感光体２０Ｓと中間転写ベルト１１とが当接した状態を示している。
【００５８】
図７は、離間時における一次転写ローラ及び従動ローラの接離機構１００を、装置前側から見た側面図である。図８は、離間時における一次転写ローラ１３Ｓ及び従動ローラ１８の接離機構１００を、装置後側から見た側面図である。図６は、離間時における一次転写ローラ１３Ｓ及び従動ローラ１８の接離機構１００を、斜め上方から見た斜視図である。図９は、離間時における一次転写ローラ１３Ｓ及び従動ローラ１８の接離機構１００を、斜め下方から見た斜視図である。
【００５９】
図６、図７、図８、及び図９では、中間転写ベルト１１や感光体２０Ｓなどの図示を省略しているが、感光体２０Ｓから中間転写ベルト１１が離間した状態を示している。
【００６０】
なお、図１、図３〜図９では、特色トナーの一次転写ローラ１３Ｓについて示しているが、特に、色の規定はない。以下、図１、図３〜図９を用いて、一次転写ローラ１３Ｓ及び従動ローラ１８の接離機構１００について説明する。
【００６１】
まず、感光体２０Ｓと中間転写ベルト１１とが当接した状態（接離機構１００が図１や図５に示す状態）から、感光体２０Ｓから中間転写ベルト１１が離間した状態（接離機構１００が図６や図９の状態）に移る離間動作について説明する。
【００６２】
感光体２０Ｓに対する中間転写ベルト１１の離間動作を行うときには、図示しないモータによって回転軸１９１ａを介して接離カム１９１を回転させ、図７などに示すように接離スライダ軸１９３を接離カム１９１とは反対側に向かって移動させる。接離スライダ軸１９３には、接離スライダ軸１９３と共に同じ向きに移動する接離スライダ１９２が取り付けられており、接離スライダ１９２には２本のスタッド１４１，１４２がかしめられている。
【００６３】
接離スライダ１９２が接離カム１９１とは反対側に向かって移動すると、図７に示すように接離スライダ１９２に設けられたスタッド１４１は転写ローラブラケット１３１Ｓと当接し、図８に示すようにスタッド１４２は従動ローラブラケット１８１と当接する。
【００６４】
接離スライダ１９２は、２本のスタッド１４１，１４２がそれぞれ転写ローラブラケット１３１Ｓや従動ローラブラケット１８１と当接した後も、接離カム１９１とは反対側に向かって移動していく。
【００６５】
すると、転写ローラブラケット１３１Ｓ及び従動ローラブラケット１８１は、共通軸１９を支点にしてベルト裏面からおもて面へ突き出す方向とは逆方向、言い換えれば、感光体２０Ｓから遠ざかる方向に揺動する。そして、これにともなって一次転写ローラ１３Ｓ及び従動ローラ１８が下方に移動して、一次転写ローラ１３Ｓが感光体２０から離間する。
【００６６】
次に、感光体２０Ｓから中間転写ベルト１１が離間した状態（接離機構１００が図６や図９の状態）から、感光体２０Ｓと中間転写ベルト１１とが当接した状態（接離機構１００が図１や図５に示す状態）に移る当接動作について説明する。
【００６７】
接離スライダ軸１９３は、接離スライダ１９２の下端に設けられた引掛け部１９２ａに取り付けられたスプリング１０１によって、接離カム１９１側に引っ張られる引っ張り力を常に受けている。
【００６８】
感光体２０Ｓに対する中間転写ベルト１１の当接動作を行うときには、図示しないモータにより回転軸１９１ａを介して接離カム１９１を回転させ、スプリング１０１からの引っ張り力により、図３のように接離スライダ１９３を接離カム１９１側に移動させる。そして、接離カム１９１に接離スライダ軸１９３を突き当てる。
【００６９】
このような接離スライダ軸１９３の移動により接離スライダ１９２が接離カム１９１側に向かって移動すると、図３に示すように接離スライダ１９２に設けられたスタッド１４１が転写ローラブラケット１３１Ｓから離間する。また、図４に示すように接離スライダ１９２に設けられたスタッド１４２が従動ローラブラケット１８１から離間する。
【００７０】
転写ローラブラケット１３１Ｓ及び従動ローラブラケット１８１には、スプリング１０２及びスプリング１０３によって常に感光体２０側に向かって力が働いている。そのため、転写ローラブラケット１３１Ｓ及び従動ローラブラケット１８１からスタッド１４１，１４２が離間すると、転写ローラブラケット１３１Ｓ及び従動ローラブラケット１８１は共通軸１９を支点にしてベルト裏面からおもて面へ突き出す方向、言い換えれば、感光体２０Ｓに近づく方向へ揺動する。
【００７１】
これにより、転写ローラブラケット１３１Ｓ及び従動ローラブラケット１８１にそれぞれ保持された一次転写ローラ１３Ｓ及び従動ローラ１８が上方に移動する。そして、従動ローラブラケット１８１が、中間転写装置６０に設けられたフレームの一部を装置内側に向かって折り曲げて突出させた曲げ部１９４の下面に突き当たり、従動ローラ１８の位置決めがなされる。また、一次転写ローラ１３Ｓは、中間転写ベルト１１を介して感光体２０Ｓに当接して位置決めがなされる。
【００７２】
このように、一次転写ローラ１３Ｓと従動ローラ１８の位置決めがなされることで、一次転写ローラ１３Ｓと従動ローラ１８とで張架されるベルト部分の軌道を、適切に維持することができる。
【００７３】
図１０は、離間時における中間転写ベルト１１、一次転写ローラ１３Ｓ、従動ローラ１８及び感光体２０Ｓの位置関係を示した図である。図１１は、当接時における中間転写ベルト１１、一次転写ローラ１３Ｓ、従動ローラ１８及び感光体２０Ｓの位置関係を示した図である。図１１に示す当接時では、従動ローラ１８が一次転写ローラ１３Ｓの入り口ニップ角度及びニップ量を適切に形成する役割を果たしている。
【００７４】
なお、「入り口ニップ角度」とは、図１２に示すように、感光体２０Ｓの回転中心Ｏ１と一次転写ローラ１３Ｓの回転中心Ｏ２とを結んだ直線ｌと、中間転写ベルト１１の軌跡とで作られる、中間転写ベルト回転方向上流側の角度θ１のことである。
【００７５】
入り口ニップ角度θ１は、一次転写ローラ１３Ｓのオフセット量や、感光体２０Ｓに対する一次転写ローラ１３Ｓの食い込み量や、従動ローラ１８の位置などによって決まる。
【００７６】
仮に、一次転写ローラ１３Ｓよりも中間転写ベルト回転方向上流であってテンションローラ１４よりも中間転写ベルト回転方向下流側に従動ローラ１８が設けられていないと、従動ローラ１８を設けた場合よりも入り口ニップ角度θ１が大きくなってしまう。そのため、従動ローラ１８を設けた場合よりも中間転写ベルト１１と感光体２０Ｓとの接触面積が減り、ニップ量が少なくなって異常画像が発生するおそれがある。
【００７７】
一方、本実施形態の画像形成装置１のように、一次転写ローラ１３Ｓの中間転写ベルト回転方向上流側に従動ローラ１８を設けることで、入り口ニップ角度θ１を適切な大きさにでき、中間転写ベルト１１と感光体２０Ｓとのニップ幅を適切に確保することができる。
【００７８】
また、本実施形態では、感光体２０Ｓの回転中心Ｏ１と一次転写ローラ１３Ｓの回転中心Ｏ２とを結んだ直線ｌと、中間転写ベルト１１の軌跡とで作られる、中間転写ベルト回転方向下流側の角度θ２を「出口ニップ角度」とする。
【００７９】
なお、本実施形態の画像形成装置１では、一次転写ローラ１３Ｓの中間転写ベルト回転方向下流側に、中間転写ベルト１１の回転に従動して回転する不図示の下流側従動ローラが、一次転写ローラ１３と隣り合うように設けられている。そして、このように一次転写ローラ１３Ｓの中間転写ベルト回転方向下流側に下流側従動ローラを設けることで、出口ニップ角度θ２を良好な転写が行える適切な大きさにすることができる。
【００８０】
また、本実施形態に係る接離機構１００では、従動ローラ１８が一次転写ローラ１３Ｓと同じように感光体２０Ｓから遠ざかることで、中間転写ベルト１１を感光体２０Ｓから離間させる役割を果たしている。
【００８１】
ここで、一次転写ローラ１３と従動ローラ１８とが単一のブラケットに保持されていると、中間転写ベルト１１から従動ローラ１８に伝わった振動が、ブラケットを介して一次転写ローラ１３に伝わってしまう。そのため、一次転写ローラ１３が振動することで一次転写ニップのニップ圧などが変動してしまい、転写不良が生じて画像ムラなどの異常画像が発生してしまう。
【００８２】
一方、本実施形態に係る接離機構１００のように、一次転写ローラ１３と従動ローラ１８とを、転写ローラブラケット１３１Ｓと従動ローラブラケット１８１とでそれぞれ保持することで、従動ローラ１８から一次転写ローラ１３に振動が伝わり難くなる。よって、その分、一次転写ニップのニップ圧などの変動が抑えられ、転写不良が生じて画像ムラなどの異常画像が発生するのを抑制することができる。
【００８３】
また、単一のブラケットで一次転写ローラ１３と従動ローラ１８とを保持した場合に、ブラケットの揺動中心が一次転写ローラ１３及び従動ローラ１８の位置よりも外側にあると、一次転写ローラ１３と従動ローラ１８との位置関係を精度良く決められなくなる。
【００８４】
これは、ブラケットに対して一次転写ローラ１３や従動ローラ１８に組み付け誤差が生じた場合、前記揺動中心から離れれば離れるほど、一次転写ローラ１３や従動ローラ１８の位置のばらつきが大きくなるためである。
【００８５】
仮に、前記揺動中心から一次転写ローラ１３までの距離をｔ、前記揺動中心から従動ローラ１８までの距離を２ｔとした場合、従動ローラ１８の位置のばらつきは一次転写ローラ１３の位置の２倍になる。そのため、一次転写ローラ１３の位置及び従動ローラ１８の位置の誤差が積みあがり、一次転写ローラ１３と従動ローラ１８との位置関係を精度良く決められなくなる。
【００８６】
このように、一次転写ローラ１３と従動ローラ１８との位置関係を精度良く決められないと、入り口ニップ角度θ１を適切な大きさにすることができず、所望のニップ量が得られないことで異常画像が発生するおそれがある。
【００８７】
一方、本実施形態の接離機構１００では、一次転写ローラ１３と従動ローラ１８とを別個のブラケットで保持するとともに、中間転写ベルト回転方向で一次転写ローラ１３と従動ローラ１８との間に、共通軸１９を位置させて設けている。
【００８８】
そのため、一次転写ローラ１３及び従動ローラ１８よりも外側に共通軸１９がある場合よりも、共通軸１９から一次転写ローラ１３や従動ローラ１８までの距離を近づけることが可能となり、一次転写ローラ１３や従動ローラ１８の位置のばらつきを小さくできる。よって、その分、一次転写ローラ１３及び従動ローラ１８の位置の誤差の積み上げを低減し、一次転写ローラ１３と従動ローラ１８との位置関係をより精度良く決めることができる。
【００８９】
さらに、転写ローラブラケット１３１Ｓ及び従動ローラブラケット１８１が共通の共通軸１９に、装置本体に対して感光体２０Ｓから遠ざかる方向と近づく方向とに揺動可能なように軸支されている。そのため、一次転写ローラ１３Ｓと従動ローラ１８との位置関係に寸法誤差や組み付け誤差などの積み上げ誤差の影響を少なくすることができる。
【００９０】
また、一次転写ローラ１３Ｓ及び従動ローラ１８を共通軸１９の軸線方向で重ねて配置したことで、一次転写ローラ１３Ｓと従動ローラ１８それぞれに揺動軸を並べて配置した場合よりも接離機構１００の中間転写ベルト回転方向の幅を小さくすることができる。よって、その分、中間転写装置６０ひいては画像形成装置１が幅方向に大型化するのを抑制することが可能となる。
【００９１】
なお、本実施形態では、各感光体上のトナー像を一旦、中間転写ベルト上に重ね合わせて転写し、この重ね合わせたトナー像を記録紙に一括転写する中間転写方式の転写装置を備えた画像形成装置に本発明を適用した例で説明したが、これに限るものではない。すなわち、転写搬送ベルトの表面に担持された記録紙上に、各感光体から順次トナー像を重ね合わせて転写する直接転写方式の転写装置を備えた画像形成装置に対しても、本発明は適用可能である。
【００９２】
以上に説明したものは一例であり、本発明は、次の態様毎に特有の効果を奏する。
（態様Ａ）
トナー像を担持する感光体２０などの像担持体に対向し回転可能に設けられた無端状の中間転写ベルト１１などのベルト部材と、ベルト部材を介して像担持体と当接し、像担持体とベルト部材とにより形成されたニップ部で像担持体上のトナー像を、ベルト部材の表面またはベルト部材の表面に担持された記録紙などの記録材上に転写する一次転写ローラ１３などの転写部材と、前記転写部材とベルト部材回転方向で隣り合う位置に設けられ、ベルト部材を支持する従動ローラ１８などの支持部材と、像担持体に対してベルト部材を接離させる接離機構１００などの接離手段とを備えた中間転写装置６０などの転写装置において、前記接離手段は、前記転写部材を保持する転写ローラブラケット１３１などの第一保持部材と、前記支持部材を保持する従動ローラブラケット１８１などの第二保持部材とを有しており、第一保持部材と第二保持部材とが、ベルト部材裏面からおもて面へ突き出す方向と、当該突き出す方向とは逆方向とに揺動可能なように共通の共通軸１９などの揺動軸に軸支されている。
（態様Ａ）においては、共通の揺動軸を中心に第一保持部材と第二保持部材とを、前記突き出す方向と前記逆方向とに揺動させることで、転写部材及び支持部材を変位させベルト部材の軌道を変化させることにより、像担持体に対してベルト部材を接離させる。（態様Ａ）では、第一保持部材と第二保持部材とを共通の揺動軸で軸支するので、第一保持部材と第二保持部材とを別個の揺動軸で軸支するよりも、転写部材及び支持部材の組み付け誤差を小さくし、転写部材と支持部材との位置関係を精度良く決めることができる。また、共通の揺動軸で軸支された第一保持部材と第二保持部材とで、転写部材と支持部材とを別々に保持するので、ベルト部材から支持部材に伝わった振動は、第二保持部材と揺動軸と第一保持部材とを介して転写部材に伝わることになる。そのため、転写部材と支持部材とを単一の保持部材で保持した場合よりも、支持部材から転写部材に振動を伝わり難くすることができる。よって、その分、転写部材が振動することに起因したニップ部のニップ圧の変動が抑えられ、画像ムラなどの異常画像が発生するのを抑制することができる。
（態様Ｂ）
（態様Ａ）において、前記転写部材とベルト部材回転方向上流側で隣り合う位置に、前記支持部材を設けた。これによれば、上記実施形態について説明したように、ベルト部材を介して転写部材と像担持体とで形成されるニップ部のプレニップ幅を適切に確保することができる。
（態様Ｃ）
（態様Ａ）または（態様Ｂ）において、ベルト部材回転方向で前記転写部材と前記支持部材との間に、前記揺動軸を位置させて設けた。これによれば、上記実施形態について説明したように、転写部材と支持部材との位置関係をより精度良く決めることができる。
（態様Ｄ）
（態様Ａ）、（態様Ｂ）または（態様Ｃ）において、前記接離手段によって前記ベルト部材を前記像担持体に接触させるときに、前記支持部材が予め設定された位置よりも像担持体側に位置しないように前記第二保持部材の移動を規制する曲げ部１９４などの規制手段を有する。これによれば、上記実施形態について説明したように、転写部材と支持部材とで張架されるベルト部分の軌道を、適切に維持することができる。
（態様Ｅ）
トナー像を担持する感光体２０などの感光体と、走行可能に設けられた中間転写ベルト１１などのベルト部材と、ベルト部材の裏面に当接し、感光体上のトナー像をベルト部材上へ転写する一次転写ローラ１３ｂなどの転写ローラと、ベルト部材走行方向において転写ローラと隣り合う位置でベルト部材の裏面に当接し、ベルト部材を支持する従動ローラ１８などの従動ローラと、転写ローラを保持する転写ローラブラケット１３１などの転写ローラブラケットと、従動ローラを保持する従動ローラブラケット１８１などの従動ローラブラケットと、転写ローラの軸と平行に設けられ、転写ローラブラケット及び従動ローラブラケットを共に軸支する共通軸１９などの揺動軸と、揺動軸を中心に転写ローラブラケット及び従動ローラブラケットを揺動させる接離スライダ１９２などのスライダと、を備える。
（態様Ｅ）においては、転写ローラの軸と平行に設けられ、転写ローラブラケット及び従動ローラブラケットを共に軸支する揺動軸を備えるので、これらを別個の軸で軸支するよりも、転写ローラ及び従動ローラの組み付け誤差を小さくし、転写ローラと従動ローラとの位置関係を精度良く決めることができる。また、前記揺動軸で軸支された転写ローラブラケット及び従動ローラブラケットとで、転写ローラと従動ローラとを別々に保持するので、ベルト部材から従動ローラに伝わった振動は、従動ローラブラケットと揺動軸と転写ローラブラケットとを介して転写ローラに伝わることになる。そのため、転写ローラと従動ローラとを単一のブラケットで保持した場合よりも、従動ローラから転写ローラに振動を伝わり難くすることができる。よって、その分、感光体上のトナー像をベルト部材上へ転写する際に、転写ローラが振動することに起因した画像ムラなどの異常画像が発生するのを抑制することができる。
（態様Ｆ）
（態様Ｅ）において、前記揺動軸は、ベルト部材走行方向において前記転写ローラと前記従動ローラとの間に設けられている。これによれば、上記実施形態について説明したように、転写ローラと従動ローラとの位置関係をより精度良く決めることができる。
（態様Ｇ）
感光体２０などの像担持体上のトナー像を、中間転写装置６０などの転写手段を用いて最終的に記録紙などの記録材上へ転写することにより当該記録材に画像を形成する画像形成装置１などの画像形成装置において、前記転写手段として、（態様Ａ）、（態様Ｂ）、（態様Ｃ）、（態様Ｄ）、（態様Ｅ）または（態様Ｆ）などの転写装置を用いた。これによれば、上記実施形態について説明したように、転写部材が振動することに起因したニップ部のニップ圧の変動が抑えられ、画像ムラなどの異常画像が発生するのを抑制し、良好な画像形成を行うことができる。
【符号の説明】
【００９３】
１        画像形成装置
２        給紙部
３        画像形成部
４        露光装置
１０      画像形成ユニット
１１      中間転写ベルト
１２      駆動ローラ
１３      一次転写ローラ
１４      テンションローラ
１５      二次転写ベルト
１６      二次転写ローラ
１７      二次転写対向ローラ
１８      従動ローラ
１９      共通軸
２０      感光体
２２      二次転写装置
２３      張架ローラ
２４      張架ローラ
３０      帯電ローラ
４０      感光体クリーニング装置
４１      クリーニングブレード
５０      現像装置
５１      現像ローラ
６０      中間転写装置
７０      中間転写ベルトクリーニング装置
８０      搬送路
８１      給紙トレイ
８２      給紙ローラ
８３      レジストローラ対
８４      排紙ローラ対
８５      搬送ローラ対
８６      搬送ローラ対
９０      定着装置
１００    接離機構
１０１    スプリング
１０２    スプリング
１０３    スプリング
１３１    転写ローラブラケット
１４１    スタッド
１４２    スタッド
１８１    従動ローラブラケット
１９１    接離カム
１９１ａ  回転軸
１９２    接離スライダ
１９２ａ  引掛け部
１９３    接離スライダ軸
１９４    曲げ部
【先行技術文献】
【特許文献】
【００９４】
【特許文献１】特開２０１０−２５６４５９号公報
【図１】
2015172659.tif 000003
【図２】
2015172659.tif 000004
【図３】
2015172659.tif 000005
【図４】
2015172659.tif 000006
【図５】
2015172659.tif 000007
【図６】
2015172659.tif 000008
【図７】
2015172659.tif 000009
【図８】
2015172659.tif 000010
【図９】
2015172659.tif 000011
【図１０】
2015172659.tif 000012
【図１１】
2015172659.tif 000013
【図１２】
2015172659.tif 000014